(57)【要約】  本発明に係る熱画像動的記録装置は、連続的に撮影することにより熱画像データフレームを取得する撮影部と、被写体情報を選択する選択部と、動的記録指示に応答して、選択された被写体情報に基づいて、当該選択された被写体情報と関連する情報と、連続的に記録された赤外線データフレームとを関連付けて記録し、赤外線データフレームは取得された熱画像データフレームおよび／または取得された熱画像データフレームに対して所定の処理を行った後に取得されるデータである記録部と、使用者により標記操作を行う操作部と、を含み、記録部は、操作により生じる標記指示に応答して、標記した赤外線データフレームと未標記の赤外線データフレームとを、互いに区別可能な方式により記録する。【選択図】図１
2016521082.tif 000002
【特許請求の範囲】
【請求項１】
熱画像データフレームを連続的に取得する取得部と、
被写体情報を選択する選択部と、
動的記録指示に応答して、選択された被写体情報に基づいて、当該選択された被写体情報と関連する情報と、連続的に記録された赤外線データフレームとを関連付けて記録し、前記赤外線データフレームは取得された熱画像データフレームおよび／または取得された熱画像データフレームに対して所定の処理を行った後に取得するデータである記録部と、
使用者により標記操作を行う操作部と、
操作により生じる標記指示に応答して、標記した赤外線データフレームと未標記の赤外線データフレームとを、互いに区別可能な方式により記録するように制御する記録制御部と、を含む熱画像動的記録装置。
【請求項２】
熱画像データフレームを連続的に取得する取得部と、
動的記録指示に応答して、赤外線データフレームを連続的に記録し、前記赤外線データフレームは取得された熱画像データフレームおよび／または取得された熱画像データフレームに対して所定の処理を行った後に取得するデータである記録部と、
被写体情報を選択する選択部と、
使用者により標記操作を行う操作部と、
操作により生じる標記指示に応答して、標記した赤外線データフレームと、選択部により選択された被写体情報と関連する情報とを関連付けて記録するように制御する記録制御部と、を含む熱画像動的記録装置。
【請求項３】
記憶媒体に記憶される複数の被写体情報に基づいて、所定数量の被写体指示情報を表示するように制御する表示制御部と、をさらに含み、
前記記録部は所定の記録フレームレートにしたがって赤外線データフレームを連続的に記録し、
前記選択部は、使用者による選択操作に応答して、被写体情報を選択し、
前記被写体情報は、少なくとも被写体と関連する場所、類型、名称、番号のうち一つまたは複数を表した情報である請求項１または２に記載の熱画像動的記録装置。
【請求項４】
前記記録部は一時停止の指示に応答して動的記録処理を一時停止させ、
一時停止の時刻に対応する赤外線データフレームを保持する保持制御部をさらに含み、
前記記録制御部は標記指示に応答して前記赤外線データフレームを標記する請求項１または２に記載の熱画像動的記録装置。
【請求項５】
前記記録制御部は、動的記録期間中、または動的記録処理を一時停止させる期間中に標記操作により生じる標記指示に応答して、対応する標記した赤外線データフレームと未標記の赤外線データフレームとを、互いに区別可能な方式により記録する請求項１または２に記載の熱画像動的記録装置。
【請求項６】
前記取得部により取得する映像とは異なるその他の映像を取得する第２取得部をさらに含み、
前記記録部は、その他の映像と標記した熱画像データフレームとを関連付けて記録する請求項１または２に記載の熱画像動的記録装置。
【請求項７】
前記互いに区別可能な方式は、
（１）ファイルのフォーマットが異なる；
（２）付加情報が異なる；
（３）処理方式が異なる；
（４）対応する索引情報または管理情報が異なる；
（５）記録する領域が異なる；
（６）ファイル名またはファイル拡張子名が異なる；
（７）付加情報の記憶領域が異なる；
（８）構成される被写体情報が異なる；
とのうちいずれか一つまたは複数の方式である請求項１または２に記載の熱画像動的記録装置。
【請求項８】
前記記録制御部は、標記した複数の赤外線データフレームを他の一つの動的熱画像ファイルとして記録する、または、標記した一つの赤外線データフレームを一つの熱画像の画像ファイルとして記録するように制御する請求項１または２に記載の熱画像動的記録装置。
【請求項９】
前記記録制御部は、動的熱画像ファイルの生成を制御し、前記動的熱画像ファイルは、標記した赤外線データフレームおよび未標記の赤外線データフレームを含む請求項１または２に記載の熱画像動的記録装置。
【請求項１０】
前記熱画像動的記録装置は、モバイル式の熱画像装置であり、前記取得部は連続的に撮影することにより熱画像データフレームを取得する撮影部であり、使用者は、特定のキーを押すことにより標記操作を行う請求項１または２に記載の熱画像動的記録装置。
【請求項１１】
複数の熱画像データフレームを選択する熱画像選択部と、
選択された熱画像データフレームにおける所定のフレームのフレームタイミング、および所定のフレームを取得して分析される特徴データに基づいて、特徴点または特徴点を連結して構成される特徴曲線を形成し、前記所定のフレームに含まれる標記フレームのフレームタイミング配列特徴曲線座標系におけるフレームタイミング情報および／または特徴データに基づいて、特徴曲線座標系における標記フレームの位置を指示する特徴曲線表示制御部と、
前記標記フレームの位置または標識に対する選択により標記フレームを選択する標記フレーム選択部と、
前記標記フレームに基づいて取得する赤外線熱画像、または標記フレームに対応する被写体情報のうち少なくとも一つを表示する表示制御部と、含む再生装置。
【請求項１２】
熱画像データフレームを連続的に取得する取得ステップと、
被写体情報を選択する選択ステップと、
動的記録指示に応答して、選択された被写体情報に基づいて、当該選択された被写体情報と関連する情報と、連続的に記録された赤外線データフレームとを関連付けて記録し、前記赤外線データフレームは取得された熱画像データフレームおよび／または取得された熱画像データフレームに対して所定の処理を行った後に取得されるデータである記録ステップと、
使用者により標記操作を行う操作ステップと、
操作により生じる標記指示に応答して、標記した赤外線データフレームと未標記の赤外線データフレームとを、互いに区別可能な方式により記録する記録制御ステップと、を含む熱画像動的記録方法。
【請求項１３】
複数の熱画像データフレームを選択する熱画像選択ステップと、
選択された熱画像データフレームにおける所定のフレームのフレームタイミング、および所定のフレームを取得して分析される特徴データに基づいて、特徴点または特徴点を連結して構成される特徴曲線を形成し、前記所定のフレームに含まれる標記フレームのフレームタイミング配列特徴曲線座標系におけるフレームタイミング情報および／または特徴データに基づいて、特徴曲線座標系における標記フレームの位置を指示する特徴曲線表示制御ステップと、
前記標記フレームの位置または標識に対する選択により標記フレームを選択する標記フレーム選択ステップと、
前記標記フレームに基づいて取得する赤外線熱画像、または標記フレームに対応する被写体情報のうち少なくとも一つを表示する表示制御ステップと、を含む再生方法。
【発明の詳細な説明】
【技術分野】
【０００１】
本発明に係る熱画像動的記録装置、再生装置および熱画像動的記録方法、再生方法は、熱画像撮影装置、熱画像処理装置および熱画像撮影の応用分野に関する。
【背景技術】
【０００２】
既存技術の熱画像撮影装置は、主に静的撮影タイプであり、撮影キー押下後に記録される熱画像ファイルは、熱画像の画像ファイルである。使用においては、撮影速度が遅くて効率が低く、動的目標の測定が難しく、大型の目標を表現しにくい。
【０００３】
動的撮影方式の熱画像撮影装置を採用すれば、上述の問題を解決できる。たとえば、使用者はモバイル式の熱画像装置を利用し、巡視測定中に被写体に対して動的撮影を行えば、速度が早くて漏れがなく、表現が詳しい等の利点を実現できる。しかしながら、これに伴って、その後における熱画像データフレームに対する確認、分析などの操作上の不便をもたらしてしまう。
【０００４】
可視光の場合と異なって、多くの被写体の赤外線熱画像は類似度が高く、差異を識別しにくい。また、一般の現場指示プレートまたは色彩標識などは、通常、赤外線熱画像の中ではその内容を確認できない。たとえば、電力設備におけるＡ、Ｂ、Ｃ三相設備は、赤外線熱画像の中ではほぼ同じである。
【０００５】
現場において被写体に欠陥があることを見つけた場合、いかにその後でも動的熱画像ファイルの大量の熱画像データフレームの中から対応する熱画像データフレームを素早く便利に見つけ出すこと、そして、動的熱画像ファイルには撮影時に注目されてその後に重点的に分析すべき一部の熱画像データフレームも存在しうるため、いかに後続の確認、分析において、これらの重要フレームを素早く見つけることは一つの難しい問題である。
【０００６】
なお、使用者が特定の被写体の状態を迅速に把握する必要がある場合、動的に撮影された動的熱画像ファイルに同種類であるが異なる被写体の熱画像データフレームが大量に含まれ、また、一定数量の冗長されたフレームも含まれ、さらに、類似するフレームを相当多く有しているばかりでなく、しかも熱画像の画像ファイルが通常は使用者がターゲットを特定して撮影して取得するため、既存の熱画像の画像ファイルを逐一に確認し分析する技術は、非常に不便であり、操作が面倒である。
【０００７】
各種の被写体を含む動的熱画像ファイルに対して、既存技術では、動的熱画像ファイルに基づいて特定の被写体をターゲットにして素早く確認する方法等の有効な方法、および対応する動的撮影技術を利用した熱画像装置については言及していない。使用者が動的撮影において、いかに特定の注目する熱画像データフレームを効率的にその他の熱画像データフレームと簡単に区別でき、かつ、動的撮影の速度に対する影響を低減でき、その後でもこれらの特定の熱画像データフレームを素早く確認し、利用できるか、さらには、対応する被写体等を識別できるかは、解決すべき問題である。
【０００８】
被写体に対応する動的熱画像ファイルにおける重要な熱画像データフレームを区別し、被写体情報を取得するため、たとえば、使用者による被写体に対する認識または現場のプレートによって、動的熱画像ファイルにおける重要フレームの時間および対応する被写体情報を手動で記録する必要がある。これでは、操作が不便であり、間違いやすく、撮影速度に影響を与え、後続の整理作業量が大きい等種々の面において不便である。熱画像測定技術が応用されてから、上述の問題を解決する適切な手段がなかった。
【０００９】
考えられる方法としては、たとえば、動的熱画像ファイルにおける各フレームに対して温度分析を行い、取得した特定の温度範囲における熱画像データフレーム、たとえば、ターゲットが高温の熱画像データフレームを選択して更なる分析を行うことである。しかしながら、高温の熱画像データフレームに必ずしも測定された欠陥が存在するとは限らない。熱に関する欠陥が現れる形式は様々であり、たとえば、低温でも欠陥が存在する可能性がある。
【００１０】
特許文献１に公開されたカメラでは、被写体に取付けられた無線ラベルのＩＤを受付けることにより、被写体情報を便利に関連付けて記録しているが、無線ラベルの取付けが不便でコスト増になるため、電磁干渉の大きい場合では適用されない。また、熱画像装置にＧＰＳ受信部品を取り付け、被写体のＧＰＳ情報を通知し関連付けて記録する方法もあるが、被写体の集積度が高い応用場面または室内の場面では、ＧＰＳの距離に応じる測定精度および位置決め条件の制限により適用されない。さらに、ＧＰＳ情報を関連付けたとしても、多くの熱画像データフレームが同じＧＰＳ情報に関連付けられているなら、やはり後続の分析、確認において特定の注目する熱画像データフレームを検索する必要があり、人間による検索作業量は依然として高い。
【先行技術文献】
【特許文献】
【００１１】
【特許文献１】中国特許出願第２００４１０００１３２８号明細書
【発明の概要】
【発明が解決しようとする課題】
【００１２】
本発明は、動的撮影中に重要な熱画像データフレームを標記し、熱画像データフレームと被写体情報とを関連付けることにより既存技術の問題を解決できる熱画像動的記録装置および熱画像動的記録方法を提供することを目的とする。
【課題を解決するための手段】
【００１３】
上記の目的を達成するため、本発明では以下の技術手段を採用する。
【００１４】
本発明に係る熱画像動的記録装置は、連続的に撮影することにより熱画像データフレームを取得する撮影部と、被写体情報を選択する選択部と、動的記録指示に応答して、選択された被写体情報に基づいて、当該選択された被写体情報と関連する情報と、連続的に記録された赤外線データフレームとを関連付けて記録し、前記赤外線データフレームは取得された熱画像データフレームおよび／または取得された熱画像データフレームに対して所定の処理を行った後に取得するデータである記録部と、使用者により標記操作を行う操作部と、を含み、前記記録部は、操作により生じる標記指示に応答して、標記した赤外線データフレームと未標記の赤外線データフレームとを、互いに区別可能な方式により記録する。
【００１５】
本発明に係る他の一つの熱画像動的記録装置は、連続的に撮影することにより熱画像データフレームを取得する撮影部と、動的記録指示に応答して、赤外線データフレームを連続的に記録し、前記赤外線データフレームは取得された熱画像データフレームおよび／または取得された熱画像データフレームに対して所定の処理を行った後に取得するデータである記録部と、被写体情報を選択する選択部と、使用者により標記操作を行う操作部と、を含み、前記記録部は、操作により生じる標記指示に応答して、標記した赤外線データフレームと、選択部により選択された被写体情報と関連する情報とを関連付けて記録する。
【００１６】
本発明に係る更なる他の一つの熱画像動的記録装置は、熱画像データフレームを連続的に取得する取得部と、被写体情報を選択する選択部と、動的記録指示に応答して、選択された被写体情報に基づいて、当該選択された被写体情報と関連する情報と、連続的に記録された赤外線データフレームとを関連付けて記録し、前記赤外線データフレームは取得された熱画像データフレームおよび／または取得された熱画像データフレームに対して所定の処理を行った後に取得するデータである記録部と、標記指示を行う標記部と、を含み、前記記録部は、標記指示に応答して、標記した赤外線データフレームと未標記の赤外線データフレームとを、互いに区別可能な方式により記録する。
【００１７】
本発明に係る再生装置は、複数の熱画像データフレームを選択する熱画像選択部と、被写体情報を選択する選択部と、選択された複数の熱画像データフレームのうち、選択された被写体情報に関連付けられた標記フレームに基づいて、前記標記フレームから取得される赤外線熱画像を表示する標記再生部と、を含む。
【００１８】
本発明に係る他の一つの再生装置は、熱画像データフレームを取得する熱画像取得部と、被写体情報を選択する選択部と、所定のフレームレートにしたがって、被写体情報と関連する熱画像データフレームにより取得される赤外線熱画像を再生する再生部と、を含む。
【００１９】
本発明に係る熱画像動的記録方法は、連続的に撮影することにより熱画像データフレームを取得する撮影ステップと、被写体情報を選択する選択ステップと、動的記録指示に応答して、選択された被写体情報に基づいて、当該選択された被写体情報と関連する情報と、連続的に記録された赤外線データフレームとを関連付けて記録し、前記赤外線データフレームは取得された熱画像データフレームおよび／または取得された熱画像データフレームに対して所定の処理を行った後に取得するデータである記録ステップと、使用者により標記操作を行う操作ステップと、を含み、前記記録ステップでは、操作により生じる標記指示に応答して、標記した赤外線データフレームと未標記の赤外線データフレームとを、互いに区別可能な方式により記録する。
【００２０】
本発明に係る他の一つの熱画像動的記録方法は、連続的に撮影することにより熱画像データフレームを取得する撮影ステップと、動的記録指示に応答して、赤外線データフレームを連続的に記録し、前記赤外線データフレームは取得された熱画像データフレームおよび／または取得された熱画像データフレームに対して所定の処理を行った後に取得するデータである記録ステップと、被写体情報を選択する選択ステップと、使用者により標記操作を行う操作ステップと、を含み、前記記録ステップでは、操作により生じる標記指示に応答して、標記した赤外線データフレームと、選択ステップにおいて選択された被写体情報と関連する情報とを関連付けて記録する。
【００２１】
本発明に係る再生方法は、複数の熱画像データフレームを選択する熱画像選択ステップと、被写体情報を選択する選択ステップと、選択された複数の熱画像データフレームのうち、選択された被写体情報に関連付けられた標記フレームに基づいて、前記標記フレームから取得される赤外線熱画像を表示する標記再生ステップと、を含む。
【００２２】
このほか、本発明はさらにコンピュータに実行させるためのプログラムを提供する。当該プログラムは、熱画像撮影装置において実行されるプログラムで、熱画像撮影装置において、以下のステップを実行させる。
【００２３】
連続的に撮影することにより熱画像データフレームを取得する撮影ステップと、被写体情報を選択する選択ステップと、動的記録指示に応答して、選択された被写体情報に基づいて、当該選択された被写体情報と関連する情報と、連続的に記録された赤外線データフレームとを関連付けて記録し、前記赤外線データフレームは取得された熱画像データフレームおよび／または取得された熱画像データフレームに対して所定の処理を行った後に取得するデータである記録ステップと、使用者により標記操作を行う操作ステップと、を含み、前記記録ステップでは、操作により生じる標記指示に応答して、標記した赤外線データフレームと未標記の赤外線データフレームとを、互いに区別可能な方式により記録する。
【発明の効果】
【００２４】
本発明に係る熱画像動的記録装置および熱画像動的記録方法によれば、動的撮影中に重要な熱画像データフレームを標記し、熱画像データフレームと被写体情報とを関連付けることにより既存技術の問題を解決できる。
【００２５】
本発明のその他の面および優位性は以下の明細書において説明する。
【図面の簡単な説明】
【００２６】
【図１】本発明の実施例に係る熱画像装置１３の概略構成を示すブロック図である。
【図２】実施例に係る熱画像装置１３の外形を示す図である。
【図３】実施例１に係る熱画像撮影装置の制御フローチャートである。
【図４】記憶媒体に記憶された被写体情報の一例を示す図である。
【図５】所定数量の被写体指示情報と赤外線熱画像の表示インタフェースの一例を示す図である。
【図６】所定数量の被写体指示情報と赤外線熱画像の表示インタフェースの他の一例を示す図である。
【図７】実施例２の制御フローチャートである。
【図８】フィルタリング条件の設置インタフェースの一例を示す図である。
【図９】フィルタリング条件にしたがってフィルタリングした後の被写体情報の表示例を示す図である。
【図１０】フィルタリングした後の被写体情報から取得する被写体指示情報および赤外線熱画像の表示例を示す図である。
【図１１】被写体情報の確定処理の制御フローチャートである。
【図１２】実施例３の制御フローチャートである。
【図１３】熱画像処理装置１００と熱画像装置１０１とが接続されて構成される熱画像動的記録システムの電気的構成の一例を示すブロック図である。
【図１４】熱画像処理装置１００と熱画像装置１０１とが接続されて構成される熱画像処理システムの一例を示す図である。
【図１５】実施例５に係る再生装置の表示インタフェースの一例を示す図である。
【図１６】実施例５の制御フローチャートである。
【図１７】熱画像データフレームに対する配列順序の一例を示す図である。
【図１８】実施例６に係る再生装置の表示インタフェースの一例を示す図である。
【発明を実施するための形態】
【００２７】
以下、本発明の実施例について説明する。本発明は、実施例１では、熱画像撮影機能を有するモバイル式の熱画像装置１３を熱画像動的記録装置の例としているが、その他の実施例では、熱画像データフレームを連続的に受付ける処理装置を熱画像動的記録装置としてもよい。たとえば、パーソナルコンピュータ、個人用携帯情報端末装置等の処理装置を熱画像動的記録装置としてもよい。
【００２８】
実施例において、いわゆる熱画像データフレームは、熱画像ＡＤ値データ（ＡＤ値データまたはＡＤ値とも称する）を例としているが、これに限らず、その他の実施形態においては、たとえば、赤外線熱画像の画像データ、温度値のアレイデータ、赤外線検出器自身の内部から出力されるデジタル信号により形成される熱画像データフレーム、またはこれらのデータのうちのいくつかを組合せたデータ、あるいはこれらのデータのうち一つまたはいくつかを組合せて圧縮した後のデータなどであってもよい。
【００２９】
以下では添付した図面を参照しながら本発明の典型的な実施例について詳細に説明する。以下に説明する実施例は、本発明をより理解しやすくするためのものであって、本発明の技術的範囲を制限するものではなく、本発明はその技術的範囲内において各種の態様に変更できることに注意されたい。
【００３０】
〔実施例１〕
図１は、実施例１に係る熱画像装置１３の電気的構成を示すブロック図である。図２は、実施例１に係るモバイル式の熱画像装置１３の外形を示す図である。
【００３１】
熱画像装置１３は、撮影部１、画像処理部２、表示制御部３、表示部４、通信部５、一時記憶部６、メモリカードＩ／Ｆ７、メモリカード８、フラッシュ・メモリ９、制御部１０、操作部１１を有する。制御部１０は、コントロールおよびデータバス１２を介して上記各部と接続し、熱画像装置１３の全体の制御を行う。
【００３２】
撮影部１は、図示しない光学部品、レンズ駆動部品、赤外線検出器、信号前処理回路などにより構成される。光学部品は、赤外線光学レンズにより構成され、受付けた赤外線放射を赤外線検出器にフォーカスさせる。レンズ駆動部品は、制御部１０の制御信号に基づいてレンズを駆動することにより、フォーカスまたはズーミング操作を行う。ただし、これに限らず、光学部品をマニュアル調整することによりフォーカスまたはズーミング操作を行ってもよい。赤外線検出器は、たとえば、冷却または非冷却タイプの赤外線焦点面アレイ検出器であり、光学部品を通過した赤外線放射を電気信号に変換する。信号前処理回路は、サンプリング回路、ＡＤ変換回路、定時トリガ回路などを含み、赤外線検出器から出力された電気信号に対して所定の周期内においてサンプリングするなどの信号処理を行い、ＡＤ変換回路によりデジタル熱画像データフレームに変換する。熱画像データフレームに含まれるＡＤ値データは、たとえば、１４ビットまたは１６ビットの２進データである。ただし、熱画像データフレームは、赤外線検出器の固有分解能に限定されず、赤外線検出器の分解能より低くても高くてもよい。実施例１は、撮影部１を取得部とした例であり、熱画像データフレームを連続的に取得する。
【００３３】
画像処理部２は、撮影部１により取得した熱画像データフレームに対して所定の処理を行う。画像処理部２の処理は、たとえば、編集、補間、疑似カラー、圧縮、解凍など、表示用・記憶用などに適合するデータに変換する処理である。ここで、熱画像データフレームから赤外線熱画像を生成する処理として、たとえば疑似カラー処理の一つの具体的な実施形態は、熱画像データフレームのＡＤ値の範囲またはＡＤ値の設定範囲に基づいて対応する疑似カラーパレットの範囲を確定し、熱画像データフレームのＡＤ値の疑似カラーパレットの範囲内における対応する具体的な色値を、当該熱画像データフレームのＡＤ値の赤外線熱画像における対応する画素位置の画像データとする。また、制御部１０の制御に基づいて、画像処理部２は、熱画像データフレームに対して所定の圧縮処理を行って圧縮後の熱画像データフレームを取得する。その後、圧縮後の熱画像データフレームは、たとえば、メモリカード８などの記録媒体に記憶される。画像処理部２は、ＤＳＰ、その他のマイクロプロセッサー、またはプログラマブルＦＰＧＡなどによって実現できる。画像処理部２は、さらに、制御部１０と一体化されたマイクロプロセッサーであってもよい。
【００３４】
表示制御部３は、制御部１０の制御に基づいて、一時記憶部６に記憶された表示用の画像データを表示部４に表示させる。たとえば、通常モードにおいては、撮影して取得した熱画像データフレームから生成される赤外線熱画像を連続的に表示させ、動的記録モードにおいては、被写体指示情報および赤外線熱画像を表示させる。ただし、これに限らず、その他の設定情報も表示できる。一つの具体的な実施形態として、表示制御部３はＶＲＡＭ、ＶＲＡＭ制御ユニット、信号生成ユニットなどを有する。制御部１０の制御に基づいて、信号生成ユニットは、ＶＲＡＭ制御ユニットを介して、一時記憶部６から読み出されてＶＲＡＭに記憶された画像データを、定期的にＶＲＡＭから読み出し、ビデオ信号のような表示信号を出力して表示部４に表示させる。本実施例において、表示部４は、表示部の実施例である。ただし、これに限らず、表示部４は、熱画像装置１３と接続するその他の表示装置であって、熱画像装置１３自身の電気的構成に表示装置を有しなくてもよい。なお、熱画像装置１３自身の電気的構成に表示装置を有しない場合であっても、制御部１０は表示用の画像データの出力を制御できることはいうまでもない。たとえば、画像出力インタフェース（たとえば、ＡＶインタフェース、ＲＪ４５インタフェース等のような各種の有線または無線の画像出力インタフェース）を介して、表示用の画像データ（制御部１０、表示制御部３などを表示制御部１０とする例）を出力できる。また、表示制御部により表示部の表示を制御することには、出力状況の表示も含まれる。表示制御部３は、さらに、画像処理部２または制御部１０と一体化されたプロセッサーであってもよい。
【００３５】
通信部５は、たとえば、ＵＳＢ、ＩＥＥＥ１３９４、ネットワークなどの通信規格にしたがい、熱画像装置１３と外部のパーソナルコンピュータ、記憶装置、その他の熱画像装置等の外部装置とを接続するインタフェースである。
【００３６】
一時記憶部６は、たとえば、ＲＡＭ、ＤＲＡＭなどの揮発性記憶器であって、撮影部１から出力される熱画像データフレームを一時的に記憶するバッファ・メモリであり、制御部１０の制御に基づいて、たとえば、以下のような処理を繰り返す。すなわち、取得した熱画像データフレームを所定の時間分一時的に記憶し、取得部（撮影部１）が新たなフレームを取得すると、古いフレームを削除して新たな熱画像データフレームを記憶するとともに、画像処理部２と制御部１０の作業記憶器としての機能を発揮して、画像処理部２と制御部１０により処理されるデータを一時的に記憶する。ただし、これに限らず、制御部１０、画像処理部２などのプロセッサー内に含まれている記憶器またはレジスタなども一時的記憶部とみなすことができる。
【００３７】
メモリカードＩ／Ｆ７は、メモリカード８のインタフェースである。メモリカードI／Ｆ７には、書換えが可能な非揮発性記憶器であるメモリカード８が接続されている。メモリカード８は、取付けおよび取り外しが自在となるように熱画像装置１３の本体のスロット内に取付けられ、制御部１０の制御に基づいて熱画像データフレームなどのデータを記憶する。
【００３８】
フラッシュ・メモリ９には、制御用プログラムおよび各部分を制御するために用いられる各種のデータが記憶されている。実施例において、被写体情報を記憶する記憶媒体は、熱画像装置１３における記憶媒体、たとえば、フラッシュ・メモリ９、メモリカード８などの非揮発性記憶媒体、一時記憶部６のような揮発性記憶媒体などであってよく、また、熱画像装置１３と有線または無線で接続するその他の記憶媒体、たとえば、通信部５と有線または無線で接続して通信するその他の記憶装置またはその他の撮影装置、コンピュータなどにおける記憶媒体であってもよい。なお、被写体と関連する被写体情報等のデータは、予め熱画像装置１３またはそれと接続する非揮発性記憶媒体に記憶されていることが好ましい。実施例において、フレッシュ・メモリ９は、被写体情報を記憶する記憶媒体の実施例である。
【００３９】
ここで、被写体情報は被写体と関連する情報であって、たとえば、被写体の場所、類型、番号などを表す情報である。これに限らず、被写体情報は、また、被写体と関連する所属部門、分類レベル（たとえば、電圧レベル、重要度レベルなど）、型番、製造メーカ、性能および特性、過去の撮影またはメンテナンスの履歴、製造日付、使用期限等の各種情報であってもよい。なお、被写体情報中の各種情報は、情報を分類する形式で構成されていることが好ましい。図４に示すようなリストは、記録媒体に被写体情報が記憶されている実施形態の一例であって、各被写体情報は所定の属性を有する一部の属性情報により構成されている。たとえば、被写体情報４００の「変電所１設備エリア１設備１Ａ相」は、変電所属性４０１に対応する属性情報「変電所１」、設備エリア属性４０２に対応する属性情報「設備エリア１」、設備類型属性４０３に対応する属性情報「設備１」、相別属性４０４に対応する属性情報「Ａ相」を有している。ただし、これに限らず、たとえば単一の属性情報の形式などのようなその他の方式により被写体情報を記憶してもよい。実施例１において、被写体情報には、被写体の場所（たとえば、変電所、設備エリア）、類型（たとえば、設備１、設備２などの類型、実際のスイッチ、ケーブルなどの設備類型）、相別（たとえば、Ａ、Ｂ、Ｃ相）などの情報が含まれる。なお、異なる応用に応じて、被写体情報は各種異なる構成を有することができる。
【００４０】
操作部１１は、使用者が動的記録操作（たとえば、動的記録キー１）、動的記録一時停止／継続（たとえば、一時停止キー２）の操作、標記操作（たとえば、標記キー３）、または記録用フレームレートのような情報の設定入力などの各種操作を行うために用いられる。制御部１０は操作部１１からの操作信号に基づいて、対応するプログラムを実行する。操作部１１は、図２に示す動的記録キー１（動的記録指示操作を行うために配置）、一時停止キー２、標記キー３、十字キーなどにより構成されているが、これに限らず、タッチパネルや音声認識部材（図示せず）などを用いて関連の操作を実現してもよい。
【００４１】
制御部１０は、熱画像装置１３全体の動作を制御する。たとえば、フラッシュ・メモリ９のような記憶媒体には制御プログラム、および各部分を制御するために用いられる各種のデータが記憶されている。制御部１０は、たとえば、ＣＰＵ、ＭＰＵ、ＳＯＣ、プログラマブルＦＰＧＡなどにより実現される。
【００４２】
制御部１０は選択部として、被写体情報を選択する。たとえば、使用者の選択操作に応答して、被写体情報を選択する。ただし、デフォルトの方式により選択を行うこともでき、たとえば、前回の装置立ち上げ時に最後に選択された被写体情報を選択できる。なお、複数の属性を有する被写体情報に対しては、複数回の選択操作が存在しうることは言うまでもない。
【００４３】
制御部１０は記録部として、動的記録指示に応答して、取得された熱画像データフレームを連続的に記録する。たとえば、動的記録指示に応答して、記録タイミングになると、一時記憶部６に一時的に記憶された熱画像データフレームから記録しようとする熱画像データフレーム（たとえば、一時記憶部６の所定領域に記憶されたリアルタイムの撮影により取得した熱画像データフレーム）を選択し、編集、補間、圧縮のような所定の処理を行った後に記録する。なお、フラッシュ・メモリ９やメモリカードに記録することが好ましいが、通信部５を介して熱画像装置１３と通信するその他の記憶媒体に記録してもよい。
【００４４】
ここで、可視光の場合での撮影とは異なって、熱画像撮影により取得する熱画像データフレームは、主に後続の分析に用いられる。このため、基本の動的再生効果が保証できればよく、比較的に低いフレームレート（記録用フレームレートは、通常３−１５フレーム／秒であってよい）で記録できる。したがって、データ量が比較的に大きい熱画像データフレームの動的記録処理を確保できるとともに、処理部材の負担を低減できる。このため、制御部１０が記録部として、動的記録指示に応答して、所定の記録用フレームレートにしたがって取得した熱画像データフレームを連続的に記録することが好ましい実施形態である。
【００４５】
さらに、記録部は、動的記録期間中または動的記録の一時停止中の状態において、標記指示に応答して、標記した熱画像データフレームと未標記の熱画像データフレームとを、互いに区別可能な方式により記録できる。ここで、標記した熱画像データフレームは、所定の記録用フレームレートのタイミングに対応する熱画像データフレームであってよい。たとえば、標記指示に応答する一つ前の記録タイミングになった際に記録されたフレームに対して標記してもよいし、標記指示に応答した後、次の記録タイミングになる際に記録されるフレームに対して標記してもよい。この場合において、仮にタイミングは１／６秒に一フレームを記録するとすれば（所定の記録用フレームレートは、６フレーム／秒）、１秒で６フレームの熱画像データフレームを記録できる。
【００４６】
さらに、標記する熱画像データフレームは必ずしも記録タイミングに対応するフレームである必要はなく、様々な実施態様を有してもよい。一例として、一時記憶部６から記録および標記しようとする熱画像データフレームを選択できる。たとえば、所定の記録用フレームレート（仮に６フレーム／秒、１／６秒に一フレームを記録）にしたがって熱画像データフレームを記録する場合、標記指示に応答して、一時記憶部６に記憶されるリアルタイムの撮影により取得した熱画像データフレームを読み出して記録および標記を行ってもよく、必ずしも所定の記録用フレームレートのタイミングに対応する熱画像データフレームである必要はない。標記キー３が押されると、たとえば、１秒以内で７フレームの熱画像データフレームが記録され、そのうちの一フレームが標記フレームである。他の一例として、標記指示に応答して、撮影して取得する次の一つの熱画像データフレームに対して記録および標記を行ってもよい。
【００４７】
標記する熱画像データフレームの選択も様々な実施形態を有する。たとえば、一時記憶部６に保持されている複数フレーム分の熱画像データフレームに基づき、標記フレームは分析により取得した温度値が最も高いフレーム、またはブレが最も小さい熱画像データフレーム等であってもよいし、標記操作に応答するときまたはその後の所定の時間期間内に一時記憶部６に保持される熱画像データフレームから選択してもよい。なお、動的記録を一時停止し、かつ一時停止指示が保持された時刻において取得する熱画像データフレームを標記するのが好ましい。標記するフレームは、一フレームまたは複数のフレームであってよい。また、標記する一フレームの赤外線データフレームは、一フレームまたは複数フレームの熱画像データフレームに対して所定の処理を行うことにより取得できる。
【００４８】
標記した熱画像データフレームと未標記の熱画像データフレームとを、互いに区別可能な方式による記録は、様々な実施形態を有する。たとえば、記録されるファイルの形式またはフォーマットが異なったり、同じファイルの異なる領域に記録したり、異なる記録媒体に記録したり、同じ記憶媒体の異なる記憶領域に記憶したり、記録する際に異なる情報を関連付けたり、対応するファイルの管理情報を異ならせたり、熱画像データフレームの処理方式を異ならせたり（たとえば、異なる圧縮処理を行う）など各種の互いに区別可能な方式で実施できる。
【００４９】
標記する熱画像データフレームと未標記の熱画像データフレームとを一つの動的熱画像ファイルに記録する場合を例にすると、一つの実施形態では、標記する熱画像データフレームと未標記の熱画像データフレームとを、互いに区別可能な付加情報に関連付ける。他の一つの実施形態では、標記する熱画像データフレームと未標記の熱画像データフレームとを、異なるファイル管理情報に対応させる。たとえば、動的熱画像ファイルの特定の領域に記憶される標記管理情報は、標記する熱画像データフレームのフレーム時系列情報等を含む。たとえば、標記する熱画像データフレームの時間、標記する熱画像データフレームの動的熱画像ファイルにおけるフレーム番号などの情報、および標記する熱画像データフレームの動的熱画像ファイルにおけるアドレスなどである。一方、未標記の熱画像データフレームの管理情報の内容および記憶領域は異なる。さらに他の一つの実施形態では、別途に管理ファイルを生成し、標記する熱画像データフレームのフレーム時系列情報等を含ませ、未標記のフレームの管理ファイルと互いに区別させる。たとえば、異なるファイル拡張子名にする。
【００５０】
また、未標記の熱画像データフレーム（さらには標記する熱画像データフレームとともに）のための動的熱画像ファイルを生成してもよいし、標記する熱画像データフレームのための熱画像の画像ファイルを生成してもよい。たとえば、標記する複数の熱画像データフレームのために他の一つの動的熱画像ファイルを生成し、未標記フレームの動的熱画像ファイルとファイル拡張子名を異ならせる。
【００５１】
異なる応用ニーズに応じて、一つまたは複数の区別方式を配置すれば、後続の確認、分析が便利になるという有益な効果を奏する。
【００５２】
制御部１０は標記部として、標記指示を行う。たとえば、使用者の操作に応答して、標記指示を行う。ただし、これに限らず、たとえば、熱画像データフレームの温度が閾値を超えた場合に対する分析（熱画像装置１３は、対応する温度分析部および閾値を超えたか否かを判断する判断部を有する）、外部のトリガ信号、その他の所定のタイミングなどその他の状況に基づいて、標記指示を行ってもよい。
【００５３】
以下、実施例１係る具体的な操作および制御フローについて詳細に説明する。正式に撮影する前、フラッシュ・メモリ９には図４に示すような変電所１に対応する被写体情報のタスクデータファイルがあらかじめ記憶されている。本応用シーンでは、たとえば、変電所の被写体に対して撮影する。制御部１０は、フラッシュ・メモリ９に記憶される制御プログラムおよび各部分を制御するために用いられる各種のデータに基づいて、熱画像装置１３全体の動作および様々なモードにおける処理を制御する。電源を入れると、制御部１０は内部回路の初期化を行い、その後、撮影待機モードに入る。すなわち、撮影部１は、連続的に撮影して熱画像データフレームを取得する。画像処理部２は、撮影部１がリアルタイムに撮影して取得した熱画像データフレームに対して所定の処理を行い、一時記憶部６に記憶する。また、制御部１０の制御により、動的画像形式で赤外線熱画像を表示部４に連続的に表示させる。この状態で、制御部１０は、所定の操作により撮影待機モードからその他のモードの処理に移行したか否か、またはシャットダウン操作が行われたか否かを継続的に監視し、もしあれば、対応する処理の制御に入る。
【００５４】
図３を参照しながら動的記録モードにおける制御ステップを説明する。
【００５５】
ステップＡ０１では、撮影することにより熱画像データフレームを取得する。また、撮影部１の撮影により取得した熱画像データフレームを一時記憶部６に伝送する。
【００５６】
ステップＡ０２では、表示制御部（制御部１０）の制御により、取得した熱画像データフレームから生成される赤外線熱画像および所定数量の被写体情報から取得される被写体指示情報を、表示部４に表示させる。
【００５７】
具体的には、一つの実施形態として、画像処理部２を制御することにより撮影して取得した熱画像データフレームから生成される赤外線熱画像の画像データと、フラッシュ・メモリ９に記憶されている図４に示すような被写体情報に基づいて、その中に含まれる所定数量の被写体情報から生成される被写体指示情報の画像データとを合成させる。なお、合成された画像データは、一時記憶部６に記憶される。その後、当該合成された画像データを、たとえば、図５のような表示インタフェースにて表示部４に表示させる。
【００５８】
使用者がスクロールバーを操作すると、調整量およびスクロールの方向に応じて、所定数量の被写体情報が改めて定められる。ここで、制御部１０は、使用者が調整操作を行ったか否かを判断する。たとえば、図６に示すようなスクロールバー６００を移動させて被写体指示情報に対する表示の調整を行ったか否か、または、使用者が操作部を介してページ捲りの調整操作を行ったか否かを判断する。行った場合には、使用者によるスクロールバーなどに対する調整量に基づいて、調整後の所定数量の被写体情報を確定し、続いて、対応する被写体指示情報を表示させる。
【００５９】
なお、表示制御部は、被写体情報中における被写体指示情報を生成するための所定の情報を、所定の位置にしたがって層に分けて表示する。具体的には、表示制御部は、層構造分配ユニットを有し、層構造の層数および各層数に対応する属性情報を分配する。記憶媒体に記憶された被写体情報の属性情報に基づいて、被写体情報の属性情報を、層構造分配ユニットにより分配された層構造の層数および各層数に対応する属性情報にしたがって表示する。たとえば、図６の表示インタフェースにおける被写体指示情報表示ウィンドウ６０１に示すように、表示制御部は、被写体情報を変電所、設備エリア、設備類型および相別という所定の属性を表す属性情報にしたがって三つの層にわけて、所定の位置にしたがって表示する。図５の表示インタフェースにおける被写体指示情報表示ウィンドウ５０１と比較すると、明らかに同じ行の文字数が減らされているため、使用者による確認と選択が便利になる。
【００６０】
ここで、被写体情報に基づいて取得される被写体指示情報は、被写体情報の全部または所定の一部情報から取得することができ、あらかじめ被写体情報において、被写体指示情報の取得に用いられる情報を定めてもよい。
【００６１】
ステップＡ０３では、被写体情報を選択する。ここで、被写体情報に対する選択は、動的記録の前に行ってもよいし、動的記録中に行ってもよいし、動的記録を一時的に停止して、被写体情報を選択してから動的記録を再開してもよい。たとえば、使用者による撮影現場の被写体「変電所１設備エリア１設備１Ｂ相」に対する認識、現場の設備銘柄に対する確認に基づいて、操作部１１を介して図６の６０１に示す「変電所１設備エリア１設備１Ｂ相」に対して選択すると、選択部（制御部１０）は使用者の選択操作に応答して、当該被写体指示情報に対応する被写体情報を選択する。選択された被写体情報「変電所１設備エリア１設備１Ｂ相」は一時記憶部６の所定の領域（選択された被写体情報を保持する所定の領域）に保持される。ここで、既に選択された被写体情報が存在する場合には取り替えを行う。当該所定の領域に被写体情報が保持されていることは、当該被写体情報が選択された被写体情報であることを表す。他方、当該所定の領域に被写体情報が保持されていないことは、被写体情報が選択されなかったことを表す。また、選択された被写体情報に標識を付加することによりその他の被写体情報と区別することもできる。
【００６２】
続いて、表示制御部は、当該被写体情報から取得される被写体指示情報を特別表示するように制御する。特別表示とは、たとえば、使用者が所定数量の被写体指示情報から選択された被写体指示情報を選択する方式により、当該被写体指示情報を表示する。たとえば、使用者が識別しやすい表示位置、色彩、背景、大きさ、書体、内容、文字説明等の違いをその他の被写体指示情報と区別する特別の表示方式とする。図６の被写体指示情報表示ウィンドウ６０２に示すように、制御部１０の制御により、使用者により選択した「設備１Ｂ相」に下線を標記することによりその他の被写体指示情報と区別する。また、図６の熱画像表示ウィンドウ６０２に示すように、選択した被写体情報から取得された被写体指示情報を赤外線熱画像に重ねて表示する。特別表示される被写体指示情報の内容を、その他の被写体指示情報と異ならせることができ、たとえば、メーカなどの情報を含ませることができるだけでなく、単に「Ｂ相」のように被写体指示情報よりも少なくすることができる。
【００６３】
なお、変電所１または設備エリア１などの一部の情報を被写体情報として選択できる。
【００６４】
ステップＡ０４では、動的記録の指示を受付けたか否かを判断する。たとえば、使用者により記録キー１が押されると、次にステップに処理を移行する。
【００６５】
ステップＡ０５では、関連付けられた被写体情報の動的記録処理を行う。たとえば、一時記憶部６の所定の領域から記録処理しようとする熱画像データフレームを読み出し、選択された被写体情報と関連付けて記憶媒体における動的記録開始時に新規生成された動的熱画像ファイルに書き込む。なお、記録部は、所定の記録用フレームレートにしたがって撮影部により連続的に撮影して取得した熱画像データフレームを、非揮発性記憶媒体（たとえば、フラッシュ・メモリ９）に連続的に記録することが好ましい。
【００６６】
具体的には、一つの実施形態として、所定の記録タイミング（たとえば、記録用フレームレートが６フレーム／秒である場合は１／６秒）になると、一時記憶部６に記憶された熱画像データフレームの中から記録する熱画像データフレームを選択して読み出す。たとえば、一時記憶部６の所定の領域からリアルタイムに撮影して取得した（一時記憶部６に伝送された最新の）熱画像データフレームを読み出す。続いて、編集、補間、疑似カラー、温度数値への変換、カット、間引き、圧縮などのような所定の処理のうち一つまたは複数の処理を行い、熱画像データフレームおよび選択された被写体情報、さらには必要な付加情報（たとえば、熱画像データフレームの時間、撮影の放射率、環境パラメータ温度、湿度、撮影距離、所定の処理アルゴリズム、さらには処理アルゴリズムと関連するパラメータなど）も含めてフラッシュ・メモリ９のような記憶媒体に新規生成された動的熱画像ファイルに書き込む。ここで、熱画像データフレームに対して所定の処理を行った後に取得されるデータは、上述した各種の状況で取得したデータのうちの一つまたは複数であってよい。たとえば、熱画像データフレームから取得される各画素の温度値と赤外線熱画像の画像データを同時に記録する。
【００６７】
被写体情報を選択しなかった場合には、被写体情報を関連付けなかった場合の動的記録を行ってよい。
【００６８】
選択された被写体情報に関連する情報は、たとえば、選択された被写体情報の全ての情報または一部の情報であってよい。たとえば、「変電所１設備エリア１設備１Ｂ相」を記録してもよいし、「設備エリア１設備１Ｂ相」を記録してもよいし、当該被写体情報に表示されなかったその他の情報を記録してもよい。たとえば、当該被写体情報には、番号、型番、ＩＤ等の情報も有し、表示されていないがこれらの番号、型番、ＩＤのうち一つまたは複数の情報も保存できる。なお、変電所１を全ての熱画像ファイルの全データフレームに関連付ける情報としても選択できる。
【００６９】
被写体情報の付加情報は、対応する熱画像データフレームのヘッド情報として当該熱画像データフレームに書き込まれる。これに限らず、上記とは異なる被写体情報の関連付け方式もありうる。たとえば、ステップＡ０６において記録される熱画像データフレームのフレームタイミング情報を被写体情報とともに管理情報とし、必要なファイル付加情報の構成部分として動的熱画像ファイルに書き込んでもよい。あるいは、当該動的熱画像ファイルと関連付ける情報ファイルまたは索引ファイルを生成して、被写体情報を関連付けたフレームのフレームタイミング情報および関連付けられた被写体情報を索引ファイルに含ませてもよい。制御部１０は、当該情報ファイルまたは索引ファイルを生成でき、必ずしも熱画像データフレームに書き込む必要はない。関連付けて記録することの実質は、後続のバッチ処理で必要な情報に対する分析を便利にすることである。
【００７０】
ステップＡ０６では、標記指示有無を判断する。標記指示がない場合には、ステップＡ０８に処理を移行し、標記指示がある場合（たとえば、使用者により標記キー３が押される）には、次のステップに処理を移行する。
【００７１】
ステップＡ０７では、ステップＡ０５の処理において記録された熱画像データフレームに対して標記情報を付加する。たとえば、標記を表すデータビット「０」を標記される熱画像データフレームの付加情報に付加する。他の方法としては、たとえば、ウォーターマークなどのような標識を標記フレームのデータに書き込む。
【００７２】
また、たとえば、標記されるフレームのフレームタイミング情報を管理情報として、必要なファイルの付加情報の構成部分としてその他のフレームの管理情報と区別する方式により動的熱画像ファイルに書き込むこともできる。また、当該動的熱画像ファイルと関連付ける索引ファイルを生成し、標記されるフレームのフレームタイミング情報を索引ファイルに含ませてもよい。
【００７３】
ステップＡ０８では、動的記録を終了するか否かを判断する。終了する場合、たとえば、使用者が動的記録終了の操作を行った場合、ステップＡ０９の処理に移行して、必要とするファイル付加情報（たとえば、終了標識など）を動的熱画像ファイルに書き込み、動的熱画像ファイルを完成させる。
【００７４】
一方、終了しない場合、ステップＡ０１の処理に戻す。ここで、使用者は、標記を複数回行うことも、新しい被写体情報を新たに選択することもできる。新たに被写体情報を選択した場合、その前に記録キー１が押されているため、動的記録処理を継続する。なお、ステップＡ０５の処理において、新たに選択した被写体情報を熱画像データフレームと関連付けて記録する。
【００７５】
また、ステップＡ０７の処理とは異なる様々な標記情報を付加する方法がある。たとえば、標記されるフレームが熱画像の画像ファイルとして記録される場合、選択部により選択された被写体情報により熱画像ファイル名を生成することもできる。この場合、記録部は、熱画像ファイルのファイル名を生成するファイル名生成ユニットを有する。生成される熱画像ファイルのファイル名には、選択部により選択された被写体情報と関連する情報が含まれる。たとえば、「変電所１設備エリア１設備１Ｂ相．ＪＰＧ」のようなファイル名を生成でき、さらには時間情報「２０１２０２２２」と結合して「変電所１−設備エリア１−設備１−Ｂ相−２０１２０２２２．ＪＰＧ」のようなファイル名を生成できる。ここで、ステップＡ０７の処理において、その他の熱画像の画像ファイルを生成しても、動的記録処理を一時的に停止して熱画像の画像ファイルを生成しても、標記された熱画像データフレームおよびそれに関連付けられる被写体情報を一時記憶部６の所定の領域に記憶し、所定数量の熱画像データファイルが記憶されたというような所定の条件を満たした場合に、動的記録処理を一時的に停止して対応する複数の熱画像の画像ファイルを生成してもよい。
【００７６】
以上のとおり、あらかじめ記憶された被写体情報に基づいて、赤外線熱画像とともに被写体指示情報を表示することにより、使用者は、動的記録する際に選択を簡単に行うことができ、撮影効率を向上させ、作業負担を低減できる。また、重要なフレームに対して標記を行うことにより、後続の重要フレームの検索作業が楽になる。被写体情報に対する検索、特に標記フレームに対する検索は、ターゲットに的をおいた再生を便利にし、動的撮影の優位性と効果を十分に表せる。
【００７７】
〔実施例２〕
実施例２に係る熱画像装置１３では、正式に撮影する前、フラッシュ・メモリ９には図４に示すような変電所１に対応する被写体情報のタスクデータファイルがあらかじめ記憶されているだけでなく、その他の変電所の被写体情報のタスクデータファイルもさらに含まっている。本応用シーンでは、たとえば、変電所１の被写体１に対して撮影する。今までは、測定の目的が異なることに応じて、変電所における全ての被写体を測定する場合と、特定類型の被写体のみを測定する場合があるが、特定類型の被写体は異なる設備エリアに分布され、使用者により探す必要があって、非常に不便であった。このため、被写体情報をフィルタリング条件にすることができれば、使用者の撮影を便利にできる。
【００７８】
図７を参照しながら熱画像装置１３の制御フローにおける各ステップを説明する。
【００７９】
ステップＢ０１では、タスク確定部は、被写体情報の選択に用いられる被写体情報を確定する。ステップＢ０１の処理の詳細については、図１１に対する説明で後述する。
【００８０】
ステップＢ０２では、熱画像データフレームを取得する。また、撮影部１により撮影して取得した熱画像データフレームを一時記憶部６に伝送する。
【００８１】
ステップＢ０３では、表示制御部の制御により、取得した熱画像データフレームから生成する赤外線熱画像を表示部４に表示させ、タスク確定部により確定される被写体情報に基づいて、所定数量の被写体情報から取得される被写体指示情報を表示する。
【００８２】
ステップＢ０４では、被写体情報を選択する。ここでは、「変電所１設備エリア１設備１Ｂ相」を選択する。
【００８３】
ステップＢ０５では、動的記録の指示の有無を判断する。動的記録の指示がない場合には、ステップＢ０２の処理に戻って上記ステップの処理を繰り返す。一方、動的記録の指示がある場合には、次のステップの処理に移行する。
【００８４】
ステップＢ０６では、標記指示の有無を判断する。標記指示がある場合には（たとえば、使用者により標記キー３が押される）、次のステップの処理に移行し、標記指示がない場合には、ステップＢ０８の処理に移行する。
【００８５】
ステップＢ０７では、標記されたフレームと選択された被写体情報とを関連付けて記録する。
【００８６】
たとえば、所定の記録タイミング（たとえば、記録用フレームレートが６フレーム／秒である場合は１／６秒）になると、一時記憶部６に記憶された熱画像データフレームの中から記録しようとする熱画像データフレームを選択して読み出す。たとえば、一時記憶部６の所定の領域から新たに取得した熱画像データフレームを読み出す。そして、読み出した熱画像データフレームに対して、編集、補間、カット、圧縮処理などのような所定の処理のうち一つまたは複数の処理を行う。なお、所定の処理を省略することもできる。続いて、熱画像データフレームおよび選択された被写体情報のような標記と関連する付加情報を、フラッシュ・メモリ９のような記憶媒体で新規生成された動的熱画像ファイルに書き込む。
【００８７】
また、所定の記録タイミングになったか否かを判断せず、たとえば、一時記憶部６の所定の領域から新たに取得した熱画像データフレームを読み出すように、一時記憶部６に記憶された熱画像データフレームの中から記録しようとする熱画像データフレームを選択して読出し、当該熱画像データフレームおよび標記と関連する付加情報をフラッシュ・メモリ９のような記憶媒体で新規生成された動的熱画像ファイルに書き込んでもよい。その後、さらに新たに所定の記録用フレームレートのタイミングをスタートさせてもよい。
【００８８】
ステップＢ０８では、所定のフレームレートにしたがって動的記録処理を行う。実施例１の場合と異なって、標記指示がない場合、記録される熱画像データフレームを被写体情報と関連付けしない。
【００８９】
または、被写体情報が選択された場合、標記された重要フレームとは異なる被写体情報に関連づけて構成する。たとえば、標記指示がない場合には、「変電所１」に関連付け、標記指示がある場合には、「変電所１設備エリア１設備１Ｂ相」に関連付ける。
【００９０】
ステップＢ０９では、処理を終了するか否かを判断する。処理を終了する場合、ステップＢ１０の処理に移行し、必要なファイル付加情報、終了標識を動的熱画像ファイルに書き込んで、動的熱画像ファイルを完成させる。
【００９１】
以下、図１１を参照しながらタスク確定部の所定数量の被写体情報に対する確定処理について説明する。
【００９２】
ステップＳ１０１では、フラッシュ・メモリ９中のタスクデータファイルのファイル名を表示して、ステップＳ１０２の処理に移行する。通常、異なる撮影目的地における被写体をいくつかのタスクデータファイルに分けることができる。たとえば、変電所ごとに、各変電所の設備名称をあらかじめ一つのタスクデータファイルに編集できる。
【００９３】
ステップＳ１０２では、使用者がタスクデータファイルを選択したか否かを判断する。一つまたは複数のタスクデータファイルを選択した場合には、ステップＳ１０３の処理に移行し、タスクデータファイルを一つも選択しなかった場合には、ステップＳ１０１の処理に戻る。
【００９４】
ステップＳ１０３では、ステップＳ１０２の処理に続いて、使用者の選択により撮影に関連するタスクデータファイルを確定する。
【００９５】
ステップＳ１０４では、ステップＳ１０３の処理に続いて、タスク確定部は、所定のフィルタリング条件を有するか否かを判断する。所定のフィルタリング条件がある場合には、ステップＳ１０５の処理に移行し、所定のフィルタリング条件が無い場合には、選択されたタスクデータファイル中の被写体情報を確定する。
【００９６】
ステップＳ１０５では、所定のフィルタリング条件がある場合、所定のフィルタリング条件に基づいて、タスクデータファイルの中からフィルタリング条件を満たす被写体情報を確定する。
【００９７】
上述の実施形態では、被写体情報に基づいて複数のタスクデータファイルに配分する。被写体情報がデータベース、または一つのタスクデータファイルの形式で記憶される場合、ステップＳ１０１からステップＳ１０３までの処理を省略することもできる。
【００９８】
なお、熱画像装置１３は、使用者によりフィルタリング条件を設置するフィルタリング条件設置部（たとえば、制御部１０、操作部１１および表示部４により構成される）と、記憶媒体に記憶される被写体情報に基づいて、所定のフィルタリング条件によりフィルタリング条件に満たす被写体情報を確定するタスク確定部とを有することが好ましい。
【００９９】
図８を参照しながらフィルタリング条件の設置操作について説明する。使用者がメニューモードに入り、「フィルタリング設置」選択すると、表示部４には図８に示すようなフィルタリング条件設置インタフェースが表示される。
【０１００】
フィルタリング条件は、フィルタリング条件と関連するキーワードおよびフィルターのロジック関係等により構成される。フィルタリング条件設置部は、キーワード確定ユニット、ロジック確定ユニットを有する。キーワード確定ユニットは、フィルタリング条件と関連するキーワードを確定し、ロジック確定ユニットは、フィルタリング条件と関連するキーワードのフィルターのロジック関係を確定する。
【０１０１】
フィルタリング条件と関連するキーワードは、一つのキーワードであっても、複数のキーワードであってもよい。複数のキーワードには、キーワードの範囲を表す状況を含む。たとえば、数字範囲、文字範囲、時間範囲等が含まれる。また、被写体情報中に被写体と関連する所属部門、分類レベル（たとえば、電圧レベル、重要度レベルなど）、型番、製造メーカ、性能および特性、過去の撮影またはメンテナンス履歴、製造日付、使用期限等の各種の情報を有する場合、いずれもキーワードを確定することによりフィルタリング条件を設置できる。ただし、これらの情報は、特別に表示される被写体指示情報の生成に用いられるとは限らない。
【０１０２】
キーワード確定ユニットは、フィルタリング条件と関連するキーワードを確定する。たとえば、以下のような実施形態のうちの一つまたは複数を結合してフィルタリング条件と関連するキーワードを確定できる。一つの実施形態は、たとえば、キーワードをあらかじめ保存し、使用者の選択に基づいてフィルタリング条件と関連するキーワードを確定する。他の一つの実施形態は、たとえば、デフォルトでフィルタリング条件と関連するキーワードのうちの一つまたは全部を確定する。さらに他の一つの実施形態は、たとえば、使用者によりキーワードを入力し、使用者により入力されたキーワードをフィルタリング条件と関連するキーワードとして確定する。さらに他の一つの実施形態は、たとえば、選択されるキーワード属性の選択肢を提供し、使用者により選択したキーワード属性に基づいて、当該キーワード属性を満たすキーワードをフィルタリング条件と関連するキーワードとして確定する。なお、記憶される被写体情報に基づいて、被写体情報中の所定属性の属性情報を有するキーワードを検索して取得し、使用者の選択によりフィルタリング条件と関連するキーワードを確定する。
【０１０３】
使用者が「設備１」類型の被写体を撮影する例でフィルタリング条件を設置する具体的な操作を説明する。具体的には、表示部４は、図８に示すようなフィルタリング条件設置インタフェースを表示する。変電所８０３、設備エリア８０４、設備類型８０５等は、所定の属性の属性情報を表すキーワード検索のキーワードメニュー項目に配置される。図４に示すような被写体情報を記憶する場合、制御部１０は、使用者が今回「設備１」を撮影する際に選択した設備類型８０５に基づいて、記憶媒体に記憶された被写体情報を検索して、所定の属性（設備類型）の属性情報のキーワード「設備１、設備２、・・・」を取得し、リスト８０６を表示させる。使用者は、リスト８０６から「設備１」を選択する。キーワード確定ユニットは、「設備１」をフィルタリング条件と関連するキーワードとして確定する。
【０１０４】
また、前のキーワードメニュー項目から選択した属性情報を、後続のキーワードメニュー項目のフィルタリング条件とすることもできる。たとえば、使用者が変電所８０３を選択すると変電所リストが表示され、その中から変電所１を選択すると、設備類型８０５を選択した場合には、変電所１における設備類型のリストのみ表示させることができる。
【０１０５】
ロジック確定ユニットは、フィルタリング条件と関連するキーワードのフィルターのロジック関係を確定する。フィルターのロジック関係とは、フィルタリング条件と関連するキーワードが一つのキーワードである場合、当該キーワードのフィルターは否定関係であり、フィルタリング条件と関連するキーワードが複数のキーワードである場合、複数のキーワード相互間の論理積、論理和、否定論理関係とフィルターとは否定関係の結合である。フィルターの否定論理およびキーワード間のロジック関係はデフォルトであってもよいし、使用者の設置により確定してもよい。
【０１０６】
図８において、撮影条件である「ＹＥＳ」８０１と「ＮＯ」８０２の選択項目は、フィルターのロジック関係の設置に用いられる。「ＹＥＳ」を選択すると、キーワード「設備１」から生成するフィルタリング条件により、その後の「設備１」の条件を満たす被写体情報を検索して撮影タスクとして確定する。一方、「ＮＯ」を選択すると、キーワード「設備１」から生成するフィルタリング条件により、その後の「設備１」の条件を満たさない被写体情報を検索して撮影タスクとして確定する。本実施例において、ロジック確定ユニットは、デフォルトとして、フィルターのＹＥＳおよびＮＯの関係を「ＹＥＳ」としている。その後、使用者は操作部１１を介して確定し、タスクが確定されると、キーワード「設備１」の条件を満たす被写体情報を検索して確定する。なお、複数のキーワードをフィルタリング条件として選択してもよいことはいうまでもない。
【０１０７】
フィルタリング条件は、使用者の設置により確定されてもよいし（図示せず）、あらかじめ記憶されていてもよい。使用者の設置により生成されるフィルタリング条件は、一時記憶部６またはフラッシュ・メモリ９などに記録され、たとえば、配置ファイルとしてその後に使用されてもよい。
【０１０８】
図９に示す被写体情報は、タスク確定部（制御部１０）が図４に示すような記憶媒体に記憶される被写体情報に基づいて、「設備１」というフィルタリング条件により確定した被写体情報を表している。
【０１０９】
図１０に示す表示インタフェースには、フィルタリングされた後の被写体情報から取得される被写体指示情報が表示されている。使用者により選択する必要がある被写体指示情報は、「設備１」の設備類型に限られ、操作が簡単になり、間違いをしにくい。
【０１１０】
以上のとおり、フィルタリング条件の設置に基づいて、使用者は撮影対象に対してあらかじめフィルタリングすることができ、選択に供される被写体指示情報が減らされ、操作が簡単になる。また、標記される熱画像データフレームと選択される被写体情報が関連付けられているため、後続の検索およびバッチ処理が便利になる。
【０１１１】
〔実施例３〕
実施例３に係る熱画像装置は、動的記録が一時的に停止され、表示などが固まった状態で、被写体情報の選択操作を行う。
【０１１２】
図１２を参照しながら熱画像装置１３の制御フローにおける各ステップを説明する。
【０１１３】
ステップＣ０１では、熱画像データフレームを取得する。また、撮影部１により撮影して取得した熱画像データフレームを一時記憶部６に伝送する。
【０１１４】
または、一時記憶部６における撮影部１によりリアルタイムに撮影して取得した熱画像データフレーム、および所定数量の被写体情報を読み出して表示するための表示処理を行う。
【０１１５】
ステップＣ０２では、動的記録の指示の有無を判断する（たとえば、記録キー１が押されたか否か）。指示がない場合には、ステップＣ０１の処理に戻り、上記ステップの処理を繰り返す。一方、指示がある場合には、次のステップの処理に移行する。
【０１１６】
ステップＣ０３では、一時停止の指示の有無を判断する。指示がない場合には、ステップＣ０８の処理に進み、動的記録処理を行う。一方、使用者により一時停止キー２が押されるとステップＣ０４の処理に進む。
【０１１７】
ステップＣ０４では、動的記録処理を一時停止させ、一時停止指示に応答した時刻に取得した熱画像データフレームを保持し、保持された熱画像データフレームから取得された赤外線熱画像および所定数量の被写体指示情報を表示する。ステップＣ０４において、使用者は、被写体指示情報の選択操作を行うことができる。
【０１１８】
ステップＣ０５では、取消の指示の有無を判断する。指示がない場合には、次のステップの処理に進み、指示がある場合には、ステップＣ０８の処理に移行する。
【０１１９】
ステップＣ０６では、確認操作の有無（本実施例では、標記操作をいう）を判断する。指示がある場合には、次のステップの処理に進み、指示がない場合には、ステップＣ０４の処理に戻る。
【０１２０】
ステップＣ０７では、標記したフレームと選択された被写体情報を関連付けて記録する。たとえば、一時記憶部６に保持された熱画像データフレームと、標記に関連する付加情報（たとえば、被写体情報など）とを、フラッシュ・メモリ９のような記憶媒体で新規生成された動的熱画像ファイルに書き込む。
【０１２１】
ステップＣ０８では、標記指示されなかった熱画像データフレームに対して、所定の記録用フレームレートにしたがって動的記録処理を行う。本実施例では、被写体情報を関連付けしない。
【０１２２】
ステップＣ０９では、終了するか否かを判断する。終了しない場合には、ステップＣ０１の処理に戻り、使用者は標記操作を繰り返すことができる。一方、終了する場合には、ステップＣ１０の処理に進み、必要なファイル付加情報（たとえば、終了フラグ等）を動的熱画像ファイルに書き込み、動的熱画像ファイルを完成させる。
【０１２３】
実施例３によれば、動的記録を一時停止した状況で被写体情報を選択するため、記録される熱画像データフレームの冗長データ量を低減できる。確認が必要な場合では、保持された熱画像データフレームに標記することができる。このため、使用者は標記フレームの撮影品質および選択された被写体情報の正確性を再確認でき、標記フレームの品質を向上させることができる。また、動的記録が一時停止される場合、表示部は一時停止の指示に応答した時刻、保持された熱画像データフレームから取得する赤外線熱画像および所定数量の被写体情報を表示できる。さらに、その他の実施形態では、動的の赤外線熱画像および所定数量の被写体情報を表示することも、所定数量の被写体情報を表示するように切り替えることもできる。
【０１２４】
本実施例は、さらに、ステップＣ０３の処理の前に、被写体情報を選択するように変形できる。
【０１２５】
〔実施例４〕
本発明は、実施例１では撮影機能を有する熱画像装置１３に用いられている。ただし、本発明において、撮影により熱画像データフレームを取得する機能は必要不可欠ではない。本発明は、さらに、外部から熱画像データフレームを受付けて処理する熱画像処理装置等にも適用できる。ここで、熱画像処理装置は、パーソナルコンピュータ、個人用携帯情報端末装置（ＰＤＡ）、撮影機能を有る熱画像装置とセットで使用される表示装置等である。実施例４では、熱画像処理装置１００を熱画像動的記録装置とした例である。
【０１２６】
図１３は、熱画像処理装置１００と熱画像装置１０１とが接続されて構成される熱画像動的記録システムの電気的構成の一例を示すブロック図である。
【０１２７】
熱画像処理装置１００は、通信インタフェース１、補助記憶部２、表示部３、ＲＡＭ４、ハードディスク５、操作部６、バスを介して上述した各部と接続し、全体の制御を行うＣＰＵ７を有する。熱画像処理装置１００は、ＣＰＵ７の制御に基づいて、通信インタフェース１を介して熱画像処理装置１００と接続される熱画像装置１０１から出力される熱画像データフレームを受付ける。
【０１２８】
通信インタフェース１は、熱画像装置１０１から出力される熱画像データフレームを連続的に受付けることに用いられる。受付ける熱画像データフレームは、中継装置によって発送される（熱画像装置１０１から出力される熱画像データフレームが中継装置を介して発送されるもの）熱画像データフレームを含む。同時に、通信インタフェース１は、熱画像装置１０１を制御するための通信インタフェースとしても用いられる。通信インタフェース１は、熱画像処理装置１００における各種の有線または無線の通信インタフェース、たとえば、ネットワークインタフェース、ＵＳＢインタフェース、１３９４インタフェース、ビデオインタフェースなどを含む。
【０１２９】
補助記憶部２は、たとえば、ＣＤ−ＲＯＭ、メモリカードなどの記憶媒体および関連するインタフェースである。
【０１３０】
表示部３は、たとえば、液晶表示器である。表示部３は、また、熱画像処理装置１００と接続されるその他の表示器であってもよい。この場合、熱画像処理装置１００自身の電気的構成に表示器がなくてもよい。
【０１３１】
ＲＡＭ４は、通信インタフェース１を介して受付ける熱画像データフレームを一時的に記憶するバッファ・メモリである。また、ＲＡＭ４は、ＣＰＵ７の作業記憶器として、ＣＰＵ７の処理するデータを一時的に記憶する。ハードディスク５には、制御用プログラム、および制御において使用される各種のデータが記憶されている。操作部６は、操作に用いられる。ＣＰＵ７は、熱画像処理装置１００全体の動作を制御する。また、ＣＰＵ７は、画像処理部の機能も行い、受付けた熱画像データフレームに対して所定の処理を行って赤外線熱画像の画像データの取得に用いられる。所定の処理は、たとえば、編集、補間、疑似カラー、合成、圧縮、解凍などであって、表示用・記録用に適合するデータの変換処理である。ＣＰＵ７は、熱画像データフレームの形式に応じて異なる処理を行う。一つの実施形式として、たとえば、受付けた熱画像データフレームが圧縮された熱画像ＡＤデータである場合、所定の処理として、たとえば、ＣＰＵ７は、取得部により受付けた熱画像データフレームを解凍し、対応する所定の処理を行う。解凍および対応する所定の処理の一つの実施形式として、圧縮される熱画像ＡＤデータを解凍した後、疑似カラー処理のような対応する所定の処理を行うことにより赤外線熱画像の画像データを取得する。また、所定の処理は、解凍後の熱画像データフレームを校正、補間するなどの処理であってもよい。他の一つの実施形式として、たとえば、受付けた熱画像データフレーム自身が既に圧縮された赤外線熱画像の画像データである場合、解凍により赤外線熱画像の画像データを取得する。さらに他の一つの実施形式として、たとえば、通信インタフェース１を介して受付けるものがアナログの赤外線熱画像である場合、対応するＡＤ変換回路によりＡＤ変換した後にデジタル赤外線熱画像の画像データを取得する。
【０１３２】
熱画像装置１０１は、各種類型の熱画像撮影装置であってよい。熱画像装置１０１は、被写体を撮影し、熱画像データフレームを出力する。図１２は、熱画像装置１０１の電気的構成を示すブロック図である。熱画像装置１０１は、通信インタフェース１０、撮影部２０、フラッシュ・メモリ３０、画像処理部４０、ＲＡＭ５０、ＣＰＵ６０などを有する。ＣＰＵ６０は、熱画像装置１０１の全体の動作を制御し、フラッシュ・メモリ３０には、制御プログラムおよび各部の制御に使用される各種のデータが記憶されている。撮影部２０は、図示しない光学部品、駆動部品、赤外線検出器、信号前処理回路を含み、熱画像データフレームを取得するための撮影に用いられる。当該熱画像データフレームは、一時的にＲＡＭ５０に記憶された後、画像処理部４０（たとえば、ＤＳＰ）により所定の処理（たとえば、圧縮処理など）を行われて熱画像データフレームが得られ、通信インタフェース１０を介して出力される。熱画像撮影装置１０１は、撮影および熱画像データフレームの出力に用いられ、その役割は熱画像装置１３における撮影部１とほぼ同様である。
【０１３３】
図１４は、熱画像処理装置１００と熱画像装置１０１とが接続されて構成される熱画像処理システムの一例を示す図である。熱画像装置１０１は、雲台などを利用して測定車両に架設され、専用ケーブルなどの通信ケーブル、または有線もしくは無線方式により構成されるＬＡＮなどの方式で熱画像処理装置１００と接続する。使用者は、熱画像処理装置１００を通じて被写体熱画像を観察し測定する。熱画像装置１０１と熱画像処理装置１００とが接続されて構成される熱画像処理システムは、被写体を撮影する。
【０１３４】
熱画像装置１３から撮影部１を除いた構成は、熱画像処理装置１００とほぼ同じである。当然ながら、熱画像処理装置１００は、熱画像データフレームを受付けて取得することによって同様に上述した実施例に適用できる。このため、上述した実施例と同様な実施形式については、説明を省略する。また、熱画像処理装置１００は、各種の熱画像撮影機能を有する熱画像装置、たとえば、モバイル式の熱画像装置とセットで使用できることはいうまでもない。
〔実施例５〕
実施例５では、複数の熱画像データフレームを処理する図１に示すような熱画像装置１３を再生装置として例であるが、熱画像撮影機能を有しないパーソナルコンピュータ、個人用携帯情報端末装置などの熱画像分析装置に適用できる。
【０１３５】
図１５を参照しながら実施例４における表示インタフェースの例を説明する。
【０１３６】
再生欄１０５は、選択された熱画像データフレーム（または標記された熱画像データフレーム）などから取得される赤外線熱画像の表示に用いられる。
【０１３７】
再生操作欄１０６は、再生と関連する操作に用いられる。ここで、標記再生１０６１は、標記フレームの再生に用いられ、図示しない一時停止などのメニュー項目を含み、再生を制御する。再生１０６２は、再生に用いられ、図示しない一時停止などのメニューを含み、再生を制御する。フレーム逐一送り１０６３は、逐一にフレームを送って再生することの確定に用いられ、フレーム逐一戻り１０６４は、逐一にフレームを戻らせて再生することの確定に用いられる。進度欄目盛１０６５は、選択された熱画像データフレームの目盛表示に用いられ、さらには、フレーム数量などフレームタイミング情報も表示できる。進度カーソル１０６６は、カレント表示の熱画像データフレームの再生順序における進度の表示に用いられ、さらには、フレーム番号、時間などカレント表示の熱画像の時系列情報も表示できる。
【０１３８】
図１６を参照しながら、本実施例の制御フローを説明する。
【０１３９】
ステップＤ０１では、処理すべき複数の熱画像データフレームを選択する。たとえば、メモリカード８のような記憶媒体の中から一つの動的熱画像ファイルを選択する。
【０１４０】
ステップＤ０２では、被写体情報を選択する。図１５の被写体情報選択欄１０１に示すように、使用者は選択操作が行える。選択に供される被写体情報は、選択された動的熱画像ファイルの中から抽出して取得しても、熱画像装置１３の記憶媒体に記憶された図４に示すようなリストの中から取得してもよい。
【０１４１】
ステップＤ０３では、選択された被写体情報に関連付けられた標記フレームから取得した赤外線熱画像を表示する。
【０１４２】
複数の標記フレームがある場合、複数の赤外線熱画像を同時に表示しても、操作に基づいて順番に表示してもよい。なお、使用者により選択される被写体情報は、図１５に示すような「変電所１」でもよいし、「変電所１設備エリア１」でもよく、「変電所１設備エリア１設備１Ｂ相」のように被写体情報の全体を選択することには限らないことに注意されたい。
【０１４３】
図１５に示すように、使用者により変電所１設備エリア１に帰属する「設備１Ｂ相」が選択されると、表示制御部は、熱画像データフレームから「変電所１設備エリア１設備１Ｂ相」と関連付けた熱画像データフレームを検索する。たとえば、当該被写体情報に関連付けられた標記フレームの有無を最初に検索する。
【０１４４】
たとえば、動的熱画像ファイルの標記フレームの情報が動的熱画像ファイルのファイル管理情報に位置されている場合、当該ファイル管理情報の中から検索する。一方、たとえば、当該動的熱画像ファイルの標記フレームの情報が動的熱画像ファイルの索引ファイルに位置されている場合、当該ファイルの中から検索する。
【０１４５】
その後、再生欄１０５において、「変電所１設備エリア１設備１Ｂ相」に関連付けられた標記フレームから取得した赤外線熱画像を表示する。使用者は、分析設置などを行うことができ、細かく分析できる。または、フレーム逐一戻り、フレーム逐一送りを選択することにより再生操作を行うこともできる。その他の例として、たとえば、標記フレームが無い場合、「変電所１設備エリア１設備１Ｂ相」の関連付けるその他のフレームを検索でき、その後に表示することもできる。
【０１４６】
ステップＤ０４では、「再生」または「標記再生」を行うか否かを判断する。行う場合には、ステップＤ０５の処理に進み、所定の表示用フレームレートにしたがって所定のフレームから取得した赤外線熱画像を順番に再生する。
【０１４７】
一つの例として、選択された動的熱画像ファイルには、被写体情報に関連付けられた普通のフレームと標記フレームが含まれ、または被写体情報に関連付けられていない普通のフレームがさらに含まれ、前に選択された標記フレームと同じ被写体情報に関連づけられた熱画像データフレームのみ再生するように配置でき、特にターゲットを的にした確認に役立つ。他の一つの例として、選択された動的熱画像ファイルには、被写体情報に関連づけられた標記フレームと被写体情報に関連付けられなかった普通のフレームとが含まれ、この場合には、所定数量の前後のフレームの熱画像データを再生するように配置できる。その他の例として、選択された「標記再生１０６１」に応じて、再生順番のルールにより決定される順序にしたがってすべての標記フレームを再生してもよい。
【０１４８】
ステップＤ０６では、終了するか否かを判断する。終了しない場合、ステップＤ０２の処理に戻り、既に被写体情報が選択されているなら、次のステップの処理に進むが、使用者により新たに被写体情報を選択して、その後のステップを繰り返すこともできる。一方、終了する場合には、処理を終了させる。
【０１４９】
上述の実施形態は、一つの動的ファイルを選択する場合に限らず、複数の熱画像の画像ファイル（各熱画像の画像ファイルには一つの熱画像データフレームが含まれている）、一つまたは複数の動的熱画像ファイル、一つの熱画像の画像ファイルおよび一つまたは複数の動的熱画像ファイルを選択する場合にも適用できる。その他の例においては、さらに、異なる時期における熱画像ファイルを複数選択してもよい。
【０１５０】
再生順番のルールにより決定される順序にしたがって、上述した再生を行うことができる。再生順番のルールは、たとえば、被写体情報の特定のキーワードが一致するかどうか、時間順序、同一の動的熱画像ファイルなどのうち一つまたは複数の要素にしたがって並べた順序であってよい。なお、あらかじめ再生順序のルールを定義できる。
【０１５１】
図１７（Ａ）に示すように、仮に、使用者が二つの熱画像の画像ファイルＣ０、Ｄ０、および二つの動的熱画像ファイルＡ０、Ｂ０を選択した場合、熱画像の画像ファイルＣ０の撮影時間が動的熱画像ファイルＡ０のフレーム順序中のＡ２フレームとＡ３フレームの間に位置され、熱画像の画像ファイルｄ０の撮影時間が動的熱画像ファイルＢ０のフレーム順序中のＢ２フレームとＢ３フレームの間に位置されているとする。
【０１５２】
同じ動的熱画像ファイルに挿入可能な熱画像の画像ファイルのフレーム、および時間順序の原則により、たとえば、図１７（Ｂ）に示すような再生の順序を取得する。
【０１５３】
他の例では、仮に、Ｃ０、Ｄ０と動的熱画像ファイルＡ０中のＡ１フレームからＡ４フレームと同じ被写体情報に関連付けられているとする。被写体情報が同じであるとの原則を優先排列にすることで鑑みると、図１７（Ｃ）に示すような順序となる。こうすると、再生時において、使用者は過去に撮影された同一被写体との比較、同一種類の被写体間の水平比較等を便利にできる。
【０１５４】
なお、Ａ０、Ｂ０の撮影時間が重畳されても、上述した配列の各種の変化により納得できる再生効果を取得できることはいうまでもない。さらに、熱画像の画像ファイルを新しい順序における標記フレーム、すなわち、新しい順序中の標記フレームに、Ｃ０、Ｄ０、Ｂ４（Ｂ０中の元の一つの標記フレーム）が含まれていることが好ましい。
【０１５５】
上述した動的熱画像ファイル、熱画像の画像ファイルは、異なる熱画像撮影装置により、ひいては一部設計が異なる熱画像撮影装置により取得できる。また、異なる応用に応じて、再生順序は様々な規則を適用できる。
【０１５６】
また、本実施例は、選択された熱画像データフレームに基づいて、選択された被写体情報により被写体情報と関連付けられた熱画像データフレームを再生する形態に変形できる。
【０１５７】
さらに、本実施例は、選択された熱画像データフレームに基づいて、全ての標記フレームを再生する形態にも変形できる。
〔実施例６〕
実施例６では、選択された熱画像データフレームにより特徴曲線を形成し、標記フレームが特徴曲線上の位置に位置されるように指示することによりターゲットに対する確認および分析を向上させる。
【０１５８】
図１８を参照しながら実施例６における表示インタフェースの一例を説明する。
【０１５９】
被写体情報選択欄１０１は、被写体情報の選択および表示に用いられる。
【０１６０】
特徴曲線欄１０２は、特徴曲線の座標系、特徴曲線１０２１、標記フレームの標識１０２２、カーソル１０２３の表示に用いられる。
【０１６１】
標記フレーム標識１０２２は、所定のフレーム中における標記した熱画像データフレーム（および／または熱画像の画像ファイル）のフレーム時系列情報に基づいて、特徴曲線上に標記の標識を表示することにより直観性を与えることが好ましい。
【０１６２】
カーソル１０２３は、使用者によるカーソル位置の調整または設置に用いられる。なお、データ欄および／または再生欄を制御することにより表示を変化したり、すわなち、分析欄においてカーソル位置に対応する熱画像データフレームの特徴データを表示し、または、カーソルの近辺でカーソル位置に対応する熱画像データフレームの特徴データを表示したりすることが好ましい。再生欄は、カーソル位置に対応する赤外線熱画像を表示する。カーソル位置のフレーム時系列により対応する熱画像データフレームを確定する。
【０１６３】
データ欄１０３は、選択された熱画像データフレームと関連する情報、および／または、カーソル１０２３に対応する熱画像データフレームに関連する情報の表示に用いられる。ここで、カーソル１０２３に対応する熱画像データフレームに関連する情報は、表示部のその他の所定の位置に表示されてもよい。なお、特徴カーソル１０２３の近辺に表示されるのが好ましい。たとえば、上方に表示するようにすれば、使用者は便利に確認できる。関連する情報は、たとえば、当該熱画像データフレームに関連付けられた情報であり、特徴カーソル１０２３の近辺に表示されるのが好ましい。たとえば、上方に表示するようにすれば、使用者は便利に確認できる。たとえば、カーソル１０２３の情報に表示される被写体情報である。
【０１６４】
設置欄１０４は、ファイルメニュー項目、フィルター条件メニュー項目、特徴分析条件メニュー項目を有する。
【０１６５】
ファイルメニュー項目は、記憶媒体から分析すべき熱画像ファイルの選択に用いられる。
【０１６６】
フィルター条件メニュー項目は、特徴曲線と関連する熱画像データフレームのフィルター条件の設置および生成に用いられる。所定のフィルター条件にしたがって選択された熱画像ファイルに対してフィルタリングを行うことにより、特徴曲線の生成と関連する所定のフレームを取得できる。フィルター条件は、フレーム数に対するサンプリング、感覚に対するサンプリング、熱画像の画像ファイル、標記フレーム、フレーム付加情報または関連付けられた情報、特徴データのうちの一つまたは一つ以上をフィルター条件とすることにより、選択された複数の熱画像データフレームに対してフィルタンリングして所定のフレームを取得する。
【０１６７】
特徴分析条件メニュー項目は、特徴曲線と関連する特徴分析条件の設置および生成に用いられる。たとえば、設置される分析領域Ｓ０１の特徴分析条件はＳ０１ＭＡＸである。一つまたは複数の特徴分析条件を設置できる。
【０１６８】
再生欄１０５および再生操作欄１０６は、図１５に示されたものとほぼ同じであるため、説明を省略する。
【０１６９】
制御部１０は分析部として、所定の特徴分析条件にしたがって、選択された熱画像データフレームの中の所定のフレームに対して分析して、特徴データを取得する。特徴分析条件は、たとえば、分析に関連する分析領域および分析モードなどである。分析部は、特徴分析条件により決定される分析領域および分析モードに基づいて分析処理を行う。いわゆる分析領域は、熱画像データフレーム中の特定の分析領域を表す。たとえば、点、線、面、あるいは全熱画像データフレームを分析領域とすることができる。いわゆる分析モードは、たとえば、分析領域の最高温度、最低温度、平均温度の演算、温度差などのような異なる分析領域間の演算などである。特徴データは、たとえば、分析して取得した温度値である。
【０１７０】
制御部１０は特徴曲線生成部として、所定のフレームの配列のフレーム時系列情報および所定のフレームに対する分析により取得した特徴データに基づいて、特徴曲線座標系において特徴点または特徴点を連結した後に構成される特徴曲線を形成する。熱画像データフレームと特徴曲線および再生に関連する順序は同じであっても違ってもよい。
【０１７１】
複数の特徴分析条件を設置する場合、複数の特徴分析条件とそれぞれ対応する複数組の特徴データを分析して取得できる。なお、特徴曲線座標系において、複数組の特徴曲線を形成することができ、各特徴曲線は、同じ組の特徴点または同じ組の特徴点が連結されて構成される。
【０１７２】
ここで、座標系の縦座標は、たとえば、特徴データの目盛を表し、横座標は、分析された熱画像データフレームのフレーム時系列情報、たとえば、フレーム番号、時間などである。なお、縦座標の特徴数値、横座標の数値、閾値の境界線（特徴データが閾値の境界線を超える場合、超える部分の熱画像データフレーム中の被写体は欠陥がある可能性を現す）などの表示を省略することができ、ひいては、縦座標、横座標の生成および表示までも省略できるが、表示してもよい。
【０１７３】
制御部１０はカーソル表示制御部として、特徴曲線、座標系の横座標、座標系の縦座標のうち少なくとも一つに相対して、カーソルを表示する。ここで、カーソル表示制御部は、カーソルに対する位置決め操作に基づいて、位置決めした後の位置におけるカーソルを表示する。カーソルに対する位置決め操作は、たとえば、操作部９を介してカーソルを選択して移動させたり、再生進度のカーソルに対して操作したり、特定の特徴データを入力したりするなどの方法により実現できる。
【０１７４】
制御部１０は情報表示制御部として、カーソル位置に対応する熱画像データフレームに関連する情報を表示部に表示させる。カーソル位置に対応する熱画像データフレームは、たとえば、カーソル位置に対応するフレームの時系列情報により特徴データを取得して表示する。
【０１７５】
制御部１０は熱画像表示制御部として、カーソル位置に対応する熱画像データフレームから取得した赤外線熱画像を表示部に表示させる。たとえば、カーソル位置に対応するフレームの時系列情報により対応する熱画像データフレームを確定して赤外線熱画像を取得し表示する。
【０１７６】
なお、特徴曲線において標記フレームの位置を表示することが好ましいが、これに限らず、特徴曲線、座標系の横座標、座標系の縦座標のうち少なくとも一つに標記フレームの位置を表示してもよい。
【０１７７】
本実施例によれば、重要フレームを素早く見つけることができ、後続の再生閲覧が便利になる。
〔その他の実施例〕
上述した実施例は本発明を実施するための好ましい実施形態であり、本発明の実施形態に係るいずれの製品は、必ずしも上述したすべての優位性を同時に達成する必要はない。また、上述した実施例では、電力業界の被写体の応用をシーンとして例に挙げているが、赤外線検査を行う各業界での幅広い運用にも適用される。
【０１７８】
熱画像データフレームのデータ量が比較的に大きいので、記録される熱画像データフレームのデータ量を低減するため、さらに、制御部１０は一時停止制御部として、所定の操作（たとえば、一時停止キー２を押す）に応答して動的記録処理を一時的に停止させ、また、記録が一時的に停止された状態で、所定の操作（たとえば、一時停止キー２を再度押す）に応答して動的記録処理を継続させる。こうすると、後続の動的熱画像ファイルの管理および処理が便利になる。さらに、動的熱画像ファイルのサイズを定めておき、所定の動的熱画像ファイルのサイズになっているか否かを判断し、なっている場合には、動的熱画像ファイルを完成させ、新しい動的熱画像ファイルを新規生成し、後続の記録された熱画像データフレームを新規作成された動的熱画像ファイルに記録する。なお、所定の記録用フレームレートは必ず固定値である必要はない。たとえば、熱画像装置１３は、記録用フレームレート制御部をさらに有し、記録処理の速度が設定された記録用フレームレートを満たさない場合に、自動的に記録用フレームレートの自己適応制御を行うようにする。この場合、さらに、使用者に記録用フレームレートを変更するように合図する。また、所定の記録用フレームレートは、抽出等の方法を採用して実施してもよい。たとえば、仮に撮影して取得した熱画像データフレームのフレームレートが３０Ｈｚであるとすると、所定の記録用フレームレートが６フレーム／秒である場合、５フレームごとに１フレームを抽出する方法で所定の記録用フレームレートを実現できる。
【０１７９】
さらに、熱画像動的記録装置がその他の映像を取得する第二取得部を有する場合、記録部は、その他の映像、たとえば、可視光等の映像を標記された熱画像データフレームと関連付けて記録する。こうすると、後続の確認、分析が便利になる。
【０１８０】
また、表示部４の表示器ユニットは、一つ以上に配置されてもよい。赤外線熱画像を表示する表示器もあれば、被写体情報の表示に専用される表示器もある。表示制御部による表示制御は、一つの表示器または異なる表示器に同時に表示させること、または、一つの表示装置における切り替え表示をいう。
【０１８１】
さらに、撮影機能を有する熱画像装置、熱画像処理装置における一つの構成部品または機能モジュールとしても本発明の実施形態を構成する。本発明に係る熱画像動的記録装置が熱画像撮影装置の一つの部品である場合、表示制御部を省略しても本発明を構成する。
【０１８２】
上述した実施例では、一定のステップの順序にしたがって説明しているが、異なる実施形態によってはさまざまな前後順序を有することができ、上述した実施例で説明した処理の順序に限らない。たとえば、制御部１０、画像処理部２などのうちの一つまたは複数が複数のプロセッサーにより処理される場合、並行処理を適用できる一部のステップも存在する。本技術分野の者であれば、本発明の技術的思想に基づいて様々な処理の順序で実施できる。
【０１８３】
好ましい実施形態において、未標記の熱画像データフレームの付加情報、標記フレームの付加情報なども対応するフレームのフレーム時系列と関連付けて、すべて一時記憶部に一時的に記憶することができる。なお、動的記録を終了する場合にすべてを一括で動的熱画像ファイルに書き込むと、後続の検索が速くて便利になる。
【０１８４】
また、動的記録は動的熱画像ファイルの生成に限らない。一例として、連続的に記録された熱画像データフレームごとに、一つの熱画像データフレームと関連する付加情報を含む熱画像の画像ファイルをそれぞれ生成して、特定のフォルダに保存しておくこともできる。標記フレームにより生成されるファイルの拡張子は、その他のフレームと異なる。
【０１８５】
本発明は、また、記憶装置に記録されたプログラムを読み出して上述した機能を実行するシステムまたは設備のコンピュータ（たとえば、ＣＰＵ、ＭＰＵなどの装置）、および各ステップをシステムまたは設備のコンピュータにより記憶装置に記録されたプログラムを読み出して上述した機能を実行するなどの知的な方法により実現できる。これを実現するため、たとえば、ネットワークまたは記憶装置として用いられる各種類型の記録媒体（たとえば、コンピュータ読取可能な媒体）からプログラムをコンピュータに提供する。
【０１８６】
本発明は、さらにコンピュータに実行させるためのプログラムを提供する。プログラムを構成する数字信号は、コンピュータ読取可能な記録媒体に記録される。たとえば、ハードディスク、記憶器などに記録される。当該プログラムが実行されると以下のステップが実行される。
【０１８７】
取得ステップでは、熱画像データフレームを連続的に取得する
選択ステップでは、被写体情報を選択する。
【０１８８】
記録ステップでは、動的記録指示に応答して、選択された被写体情報に基づいて、当該選択された被写体情報と関連する情報と、連続的に記録された赤外線データフレームとを関連付けて記録し、前記赤外線データフレームは取得された熱画像データフレームおよび／または取得された熱画像データフレームに対して所定の処理を行った後に取得されるデータである。
【０１８９】
標記ステップでは、標記指示を行う。
【０１９０】
前記記録ステップでは、標記指示に応答して、標記した赤外線データフレームと未標記の赤外線データフレームとを、互いに区別可能な方式により記録する。
【０１９１】
本発明は、さらにコンピュータにより読取可能な記憶媒体を提供し、電子データ交換に用いられるコンピュータに実行させるためのプログラムを記憶する。ここで、コンピュータに実行させるためのプログラムは、熱画像装置中のコンピュータに次のステップを実行させる。
【０１９２】
撮影ステップでは、連続的に撮影することにより熱画像データフレームを取得する。
【０１９３】
選択ステップでは、被写体情報を選択する。
【０１９４】
記録ステップでは、動的記録指示に応答して、選択された被写体情報に基づいて、当該選択された被写体情報と関連する情報と、連続的に記録された赤外線データフレームとを関連付けて記録し、前記赤外線データフレームは取得された熱画像データフレームおよび／または取得された熱画像データフレームに対して所定の処理を行った後に取得されるデータである。
【０１９５】
操作ステップでは、使用者により標記操作を行う。
【０１９６】
前記記録ステップでは、操作により生じる標記指示に応答して、標記した赤外線データフレームと未標記の赤外線データフレームとを、互いに区別可能な方式により記録する。
【０１９７】
ハードウェア、ソフトウェアまたはその結合により付属図中の機能ブロックを実現することはできるが、通常は、一対一の対応方式で機能ブロックを実現するという構造を設定する必要はない。例えば、１つのソフトウェアまたはハードウェアユニットにより複数の機能のブロックを実現することもできるし、また複数のソフトウェアまたはハードウェアユニットにより１つの機能のブロックを実現することもできる。また、専用回路や汎用プロセッサー、またはプログラマブルＦＰＧＡを用いて、本発明の実施形態における一部または全部の部材の処理及び制御機能を実現することもできる。
【０１９８】
上記で述べていることは、発明の具体的実施形態にすぎず、各種の例示説明は、発明の実質的な内容に対する限定を構成するものではない。当業者であれば、明細書を閲読した後、発明の実体及び範囲から離れることなく、具体的実施形態に対して、他の修正や変更を行うことができるが、これらは全て本発明の技術的範囲に属する。
【図１】
2016521082.tif 000003
【図２】
2016521082.tif 000004
【図３】
2016521082.tif 000005
【図４】
2016521082.tif 000006
【図５】
2016521082.tif 000007
【図６】
2016521082.tif 000008
【図７】
2016521082.tif 000009
【図８】
2016521082.tif 000010
【図９】
2016521082.tif 000011
【図１０】
2016521082.tif 000012
【図１１】
2016521082.tif 000013
【図１２】
2016521082.tif 000014
【図１３】
2016521082.tif 000015
【図１４】
2016521082.tif 000016
【図１５】
2016521082.tif 000017
【図１６】
2016521082.tif 000018
【図１７】
2016521082.tif 000019
【図１８】
2016521082.tif 000020
【国際調査報告】
2016521082.tif 000021
2016521082.tif 000022
2016521082.tif 000023
2016521082.tif 000024